(57)【要約】【課題】耐衝撃性能が高く、携帯性に優れ、しかも、データの送受信を手軽に行うことができる記憶装置を提供する。【解決手段】記憶装置本体と、この記憶装置本体を密閉して収容する筐体１０と、筐体１０に設けられた透孔を通じて当該筐体１０の内部から外部に引き出され、記憶装置本体を外部の機器へ接続して通信する接続ケーブル２０と、を備えた記憶装置１であって、接続ケーブル２０は、外部の機器との非接続時に、筐体１０の周壁３０ａに巻き付けられて保持されることを特徴とする。接続ケーブル２０は、軟質樹脂製の表層部材の内部に硬質樹脂製の芯材をインサート成形してなる。【選択図】図１
2008130203.tif 000002
【特許請求の範囲】
【請求項１】
記憶装置本体と、
この記憶装置本体を密閉して収容する筐体と、
前記筐体に設けられた透孔を通じて当該筐体の内部から外部に引き出され、前記記憶装置本体を外部の機器へ接続して通信する接続ケーブルと、を備えた記憶装置であって、
前記接続ケーブルは、
前記機器との非接続時に、前記筐体の周壁に巻き付けられて保持されることを特徴とする記憶装置。
【請求項２】
前記接続ケーブルは、軟質樹脂製の表層部材の内部に硬質樹脂製の芯材をインサート成形してなることを特徴とする請求項１に記載の記憶装置。
【請求項３】
前記筺体は、前記周壁に直線状部を備えており、前記芯材は、前記直線状部に対応する位置に配置されていることを特徴とする請求項２に記載の記憶装置。
【請求項４】
前記筺体は、前記周壁に角部を備えており、前記接続ケーブルには、前記角部に対応する位置に、当該角部を収容する凹部が形成されていることを特徴とする請求項１から請求項３のいずれか１項に記載の記憶装置。
【請求項５】
前記接続ケーブルは、その一端部に、ＵＳＢインターフェースのプラグ部を有するとともに、他端部に、前記プラグ部を挿入保持させる挿入部とを有しており、
前記プラグ部を前記挿入部に挿入保持することで前記接続ケーブルが前記筺体の前記周壁に保持されることを特徴とする請求項１から請求項４のいずれか１項に記載の記憶装置。
【請求項６】
前記筺体の前記周壁に突設された突部と、前記接続ケーブルに設けられ、前記突部が嵌挿される貫通孔と、を備え、
前記接続ケーブルの前記貫通孔に前記突部が嵌挿されることで、前記接続ケーブルが前記筺体の前記周壁に固定されることを特徴とする請求項１から請求項５のいずれか１項に記載の記憶装置。
【請求項７】
前記突部は、ストラップを止めるためのストラップリングであることを特徴とする請求項６に記載の記憶装置。
【請求項８】
前記接続ケーブルは、前記筺体の前記透孔に挿通固定される挿通固定部を備えて構成されることを特徴とする請求項２または請求項３に記載の記憶装置。
【請求項９】
前記挿通固定部は、前記芯材に一体成形されることを特徴とする請求項８に記載の記憶装置。
【請求項１０】
記憶装置本体と、
この記憶装置本体を密閉して収容する筐体と、
一端に凸部を有するとともに他端に凹部を有し、少なくとも前記一端側が自由端となるように、かつ、前記筐体の外周に巻き付けた際に、前記凸部と前記凹部とでオスメス嵌合可能なように前記筐体に保持される帯状または紐状の軟質な巻き付け部材とを備えた記憶装置であって、
前記巻き付け部材の自由端側が、外部の機器と前記記憶装置本体とを接続する接続ケーブルとされ、
前記オスメス嵌合を解除した際に、前記自由端側となる凸部を介して前記外部の機器に接続されるように構成されたこと
を特徴とする記憶装置。
【請求項１１】
前記凸部がＵＳＢインターフェースのプラグであることを特徴とする請求項１０に記載の記憶装置。
【発明の詳細な説明】
【技術分野】
【０００１】
本発明は、携帯可能ないわゆる外付け型の記憶装置に関し、特に、耐衝撃性に優れた記憶装置に関するものである。
【背景技術】
【０００２】
近年、この種の記憶装置として、例えば、ハードディスクドライブを利用した装置が知られている。ハードディスクドライブを用いて記憶装置では、記憶容量が大きくギガオーダーの大容量データを気軽に持ち運びできる点や、アクセス速度が高速である等、他のフレキシブルディスクを利用した携帯型の記憶装置に比べて有用性が高い。
【０００３】
しかし、その一方で、ハードディスクドライブを用いた記憶装置は、一般に衝撃に弱く、パーソナルコンピュータ等の機器から外されて携帯される際に、誤って落下されると、落下時の衝撃によって著しく破損するおそれがある。
【０００４】
そこで、従来、衝撃から保護するために、様々な保護手段が検討されており、例えば、ゴム等の弾性材料からなる衝撃緩衝材をハードディスクドライブと筐体との間に介在させること等が行われている（例えば、特許文献１参照）。
また、衝撃緩衝材からなるケースを用い、このケースにハードディスクドライブを挿入して携帯性を高めるようにしたものも知られている。
【０００５】
【特許文献１】特開２００４−３３２８６８号公報
【発明の開示】
【発明が解決しようとする課題】
【０００６】
しかしながら、前記特許文献１に記載された技術では、記憶装置を落下させてしまった場合、床面や地面等の衝突面に対して筐体が直接衝突するため、筐体が変形して耐衝撃性が損なわれるおそれがあった。この点、衝撃緩衝材からなるケースにハードディスクドライブが挿入される記憶装置では、このような問題は生じ難く耐衝撃性に優れたものとなるが、携帯性が損なわれ易いという難点を有する。
また、小型化された記憶装置では、携帯時に落下する可能性が高まるため、耐衝撃性のさらなる向上が望まれている。
【０００７】
ところで、従来、外付け型の記憶装置は、使用する際に接続ケーブルを用いてパーソナルコンピュータ等の機器に接続される。このため、記憶装置の携帯時には、このような接続ケーブルも記憶装置とともに携帯しなければならず、煩雑であるという問題を有していた。
【０００８】
本発明は、耐衝撃性能が高く、携帯性に優れ、しかも、データの送受信を手軽に行うことができる記憶装置を提供することを課題とする。
【課題を解決するための手段】
【０００９】
前記課題を解決した本発明の記憶装置は、記憶装置本体と、この記憶装置本体を密閉して収容する筐体と、前記筐体に設けられた透孔を通じて当該筐体の内部から外部に引き出され、前記記憶装置本体を外部の機器へ接続して通信する接続ケーブルと、を備えた記憶装置であって、前記接続ケーブルは、前記機器との非接続時に、前記筐体の周壁に巻き付けられて保持されることを特徴とする。
【００１０】
本発明の記憶装置によれば、接続ケーブルが、外部の機器との非接続時に、筐体の周壁に巻き付けられて保持されるので、携帯時には、接続ケーブルを筐体の周壁に巻き付けてこれを緩衝材として機能させることができる。これによって、携帯時に誤って記憶装置を落下させてしまっても、接続ケーブルが衝撃を好適に吸収し、落下時の衝撃から記憶装置本体を良好に保護する。したがって、記憶装置本体の損傷を好適に防止することができる。
【００１１】
また、機器との接続時には、筐体の周壁に巻き付けられた接続ケーブルの巻き付けを解き、これを用いて記憶装置本体を機器へ接続することができる。したがって、別途接続ケーブルを記憶装置とともに携帯する必要がなく、携帯性に優れて利便性がよい。しかも、筐体の周壁から接続ケーブルを解き、これを機器へ接続することで記憶装置本体を機器に対して接続することができるので、機器と記憶装置本体との通信を少ない操作で手軽に行うことができる。
【００１２】
また、本発明の記憶装置は、前記接続ケーブルが、軟質樹脂製の表層部材の内部に硬質樹脂製の芯材をインサート成形してなる構成とするのがよい。このように構成した記憶装置によれば、耐衝撃性を備えつつ接続ケーブルの剛性を高めることができる。これにより、長期的に使用することのできる記憶装置が得られる。
【００１３】
また、本発明の記憶装置は、前記筐体が、前記周壁に直線状部を備えており、前記芯材は、前記直線状部に対応する位置に配置されている構成とするのがよい。このように構成した記憶装置によれば、筐体の周壁の直線状部に対して、接続ケーブルがフィットし、筐体に対する接続ケーブルの保持性が高まる。また、外観も良好になる。
【００１４】
さらに、本発明の記憶装置は、前記筐体が、前記周壁に角部を備えており、前記接続ケーブルには、前記角部に対応する位置に、当該角部を収容する凹部が形成されている構成とするのがよい。このように構成した記憶装置によれば、筐体の角部が接続ケーブルの凹部に収容され、筐体に対する接続ケーブルの収まりがよくなって、筐体に接続ケーブルが好適に保持される。しかも、落下時に衝撃を受けやすい角部が凹部に収容されることで、角部が接続ケーブルで確実に覆われることとなるので、耐衝撃性を高めることができる。
【００１５】
また、本発明の記憶装置は、前記接続ケーブルが、その一端部に、ＵＳＢインターフェースのプラグ部を有するとともに、他端部に、前記プラグ部を挿入保持させる挿入部とを有しており、前記プラグ部を前記挿入部に挿入保持することで前記接続ケーブルが前記筐体の前記周壁に保持される構成とするのがよい。
【００１６】
このように構成した記憶装置によれば、機器との非使用時は、接続ケーブルの一端部にあるＵＳＢインターフェースのプラグ部を、他端部の挿入部に挿入保持することで、接続ケーブルが筐体の周壁に巻き付けられた状態で保持されることとなり、接続ケーブルの巻き付け保持を簡単に行うことができる。また、プラグ部は、挿入部で覆われて保護されるので、仮に携帯時に記憶装置を落下させてしまっても、プラグ部に対する衝撃が緩和されるようになり、プラグ部が破損するのを好適に防止することができる。
一方、使用時には、プラグ部を挿入部から引き抜くことで、筐体に対する接続ケーブルの巻付保持を解くことができ、また、これと同時に、プラグ部は、機器に対する接続が可能な状態にされる。したがって、巻き付けを解いてから機器への接続を行うまでの取扱いが簡単であるという利点が得られる。
【００１７】
また、本発明の記憶装置は、前記筐体の前記周壁に突設された突部と、前記接続ケーブルに設けられ、前記突部が嵌挿される貫通孔と、を備え、前記接続ケーブルの前記貫通孔に前記突部が嵌挿されることで、前記接続ケーブルが前記筐体の前記周壁に固定される構成とするのがよい。
【００１８】
このように構成した記憶装置によれば、筐体の周壁に突設された突部を接続ケーブルの貫通孔に嵌挿することで、接続ケーブルを筐体に簡単に固定することができ、筐体への接続ケーブルの固定を簡単に行うことができる。
また、ストラップを止めるためのストラップリングを突部として利用することによって、接続ケーブルを筐体に固定することができる。
【００１９】
また、本発明の記憶装置は、前記接続ケーブルが、前記筐体の前記透孔に挿通固定される挿通固定部を備えて構成されるとよい。このように構成した記憶装置によれば、接続ケーブルの挿通固定部を筐体の透孔に挿通固定することによって筐体の内部から外部への接続ケーブルの引き出し、および筐体への接続ケーブルの固定を簡単に行うことができる。また、挿通固定部が芯材に一体成形されるように構成することによって、挿通固定部の剛性を高めることができ、筐体に対する接続ケーブルの固定強度を高めることができる。
【００２０】
また、本発明の記憶装置は、記憶装置本体と、この記憶装置本体を密閉して収容する筐体と、一端に凸部を有するとともに他端に凹部を有し、少なくとも前記一端側が自由端となるように、かつ、前記筐体の外周に巻き付けた際に、前記凸部と前記凹部とでオスメス嵌合可能なように前記筐体に保持される帯状または紐状の軟質な巻き付け部材とを備えた記憶装置であって、前記巻き付け部材の自由端側が、外部の機器と前記記憶装置本体とを接続する接続ケーブルとされ、前記オスメス嵌合を解除した際に、前記自由端側となる凸部を介して前記外部の機器に接続されるように構成されたことを特徴とする。
【００２１】
このような記憶装置によれば、帯状または紐状の軟質な巻き付け部材が、少なくとも一端側が自由端となるように、かつ、筐体の外周に巻き付けた際に、一端の凸部と他端の凹部とでオスメス嵌合可能なように筐体に保持されるので、巻き付け部材を筐体の外周に巻き付けてこれを緩衝材として機能させることができる。これによって、携帯時に誤って記憶装置を落下させてしまっても、巻き付け部材が衝撃を好適に吸収し、落下時の衝撃から記憶装置本体を良好に保護する。したがって、記憶装置本体の損傷を好適に防止することができる。
【００２２】
また、巻き付け部材の自由端側が、外部の機器と記憶装置本体とを接続する接続ケーブルとされ、凸部と凹部とのオスメス嵌合を解除した際に、自由端側となる凸部を介して外部の機器に接続されるので、別途接続ケーブルを記憶装置とともに携帯する必要がなく、携帯性に優れて利便性がよい。しかも、オスメス嵌合を解除して自由端側の接続ケーブルを機器へ接続することで、記憶装置本体と機器との通信が可能になるので、嵌合を解除してから機器への接続を行うまでの取扱いが簡単であるという利点が得られる。
また、凸部がＵＳＢインターフェースのプラグとされることで、接続の利便性が高まる。
【発明の効果】
【００２３】
本発明によれば、耐衝撃性能が高く、携帯性に優れ、しかも、データの送受信を手軽に行うことができる記憶装置が得られる。
【発明を実施するための最良の形態】
【００２４】
以下、図面を参照して、本発明の実施形態に係る記憶装置について説明する。
参照する図面において、図１は、本発明の一実施の形態に係る記憶装置を示す図であり、（ａ）は非使用時（携帯時）の外観を示す斜視図、（ｂ）は使用時にプラグを外したときの外観を示す斜視図、図２は同じく記憶装置の分解斜視図、図３（ａ）は同じく記憶装置の正面図、図３（ｂ）は同じく記憶装置の側面図、図４（ａ）は図３（ｂ）のＡ−Ａ線断面図、図４（ｂ）は図３（ａ）のＢ−Ｂ線断面図である。また、図５は部分拡大断面図、図６は接続ケーブルを示す図であり、（ａ）は一端部のプラグ部を他端部の挿入部に挿入した状態を示す縦断面図、（ｂ）は図６（ａ）の縦断面図、（ｃ）は展開した状態を示す断面図である。なお、以下の説明において、「前後左右上下」は、図２において図示した方向を基準とする。
【００２５】
図１（ａ）に示すように、本実施形態の記憶装置１は、記憶装置本体としてのハードディスクドライブ（以下、ＨＤＤと称す）２と、このＨＤＤ２を密閉して収容する筐体１０と、ＨＤＤ２を図示しないパーソナルコンピュータ等の外部の機器に接続して通信する接続ケーブル（帯状または紐状の軟質な巻き付け部材）２０と、を備えて構成される。
接続ケーブル２０は、衝撃力を吸収する緩衝部材から構成されており、前記機器との非接続時に、筐体１０の周壁（外周）３０ａに巻き付けられて保持されるようになっている。また、接続ケーブル２０は、前記機器との接続時に、図１（ｂ）に示すように、筐体１０への巻き付けを解いて（解除して）、使用可能状態とされるようになっている。
【００２６】
以下各部について詳細に説明する。
図２に示すように、筐体１０は、ＨＤＤ２を収容する収容部３０と、この収容部３０の開口を閉じる蓋体４０と、この蓋体４０の前面に被せられる外蓋５０と、を備えて構成される。
ＨＤＤ２は、内部に図示しない磁気ディスク、磁気ヘッド、磁気ヘッドを移動させるアーム機構、および動作を制御する回路部等を有しており、蓋体４０に対向する前面に、内部の気圧を調整するための空気袋Ｃ１が設けられている。また、接続ケーブル２０のコネクタＣ（図３（ａ）参照）が接続されるコネクタピン（不図示）が設けられている。
【００２７】
収容部３０は、その内側に緩衝体７０を介してＨＤＤ２を収容することが可能な四角い凹状の収容スペースを備えている。そして、収容部３０の周壁３０ａは、略直方体形状のＨＤＤ２の周部を覆う大きさを備えて構成されており、その周壁３０ａに、図１（ａ）（ｂ）に示すように、接続ケーブル２０が巻き付けられるようになっている。周壁３０ａの左側面部には、図２に示すように、接続ケーブル２０に内包された配線２３を挿通するための透孔３１が設けられている。この透孔３１には、接続ケーブル２０の後記する挿通固定部２５が挿通固定される溝部３１ａ（図４（ａ）参照）が設けられている。
また、周壁３０ａの内側部には、蓋体４０をねじ固定するための固定用ねじ（不図示、以下同じ）が螺合されるボス部３４が設けられている。本実施形態ではボス部３４が周壁３０ａの内側部に沿って計四箇所に設けられている。
さらに、周壁３０ａには、図３（ａ）、図４（ａ）に示すように、ストラップ（不図示）を止めるためのストラップリング６０が係止される係止部３５が凹設されている。この係止部３５には、図４（ａ）に示すように、ストラップリング６０の支軸６１が係止されるようになっている。
【００２８】
収容部３０の収容スペースに収容される緩衝体７０は、図４（ａ）（ｂ）に示すように、ＨＤＤ２と収容部３０との間に配置されて、図４（ｂ）に示すように、ＨＤＤ２の後面３に密着する後部７３、およびＨＤＤ２のＨＤＤ周壁４に密着する緩衝体周壁７４を備えて構成される。緩衝体７０の材料としては、耐衝撃性の高い材料、例えば、シリコン樹脂等の材料が採用される。
緩衝体周壁７４には、図２に示すように、収容部３０の透孔３１に対応する位置に貫通孔７２が設けられている。この貫通孔７２には、接続ケーブル２０のコネクタＣ（図３（ａ）参照）を挿通可能とするための切り込み７２ａが形成されている。また、緩衝体周壁７４の前端部には、フランジ部７５が形成されており、このフランジ部７５は、図５に示すように、収容部３０の開口縁に設けられた段部３０ｂに係合するようになっている。
なお、緩衝体周壁７４には、図４（ａ）に示すように、収容部３０のボス部３４が挿通される挿通穴７６が形成されており、この挿通穴７６に通じるねじ穴７１が図２に示すように、フランジ部７５に開口している。また、フランジ部７５には、ストラップリング６０の支軸６１に対応する位置に挿通孔７１ａが開口している。
【００２９】
蓋体４０は、前記のように収容部３０の開口に緩衝体７０を介在させた状態で固定用ねじで固定される部材であり、耐衝撃性を有する材料、例えば、ポリカーボネート（ＰＣ）等が採用される。本実施形態では、蓋体４０を透明のポリカーボネートを用いて構成している。蓋体４０の周縁部には、収容部３０のボス部３４に対応する位置に、固定用のねじを挿通するためのねじ孔４１が設けられている。なお、蓋体４０の下部右側の角部には、ストラップリング６０の支軸６１が係止される係止孔４３が設けられている。
【００３０】
蓋体４０の前面には、ＨＤＤ２用のアクセスランプを構成する突部４２が形成されている。なお、ＨＤＤ２の図示しないアクセスランプは、ＨＤＤ２の前面側に配置されている。アクセスランプの光源としては、消費電力が小さく所定の光量が得られるＬＥＤ（Light Emitting Diode）等の発光体が用いられている。このようなアクセスランプは、ＨＤＤ２のデータの記録再生動作に応じて駆動電力の供給を受けることで発光する。したがって、ＨＤＤ２のデータの記録再生動作に応じてアクセスランプが点灯すると、透明な蓋体４０がレンズの役割をなして、後記するように突部４２から光が出力される。
【００３１】
また、蓋体４０の後面には、図５に示すように、リブ４０ａが突設されている。このリブ４０ａは、蓋体４０の縁部４０ｂとの間に、緩衝体７０のフランジ部７５の前端部に設けられた段状の突部７５ａを保持してシールしつつ、ＨＤＤ２の前面に当接して、ＨＤＤ２を緩衝体７０の後部７３側へ押圧する。つまり、固定用ねじで収容部３０に蓋体４０を固定すると、蓋体４０のリブ４０ａが内部に収容されたＨＤＤ２を緩衝体７０の後部７３側に押圧し、これによって、ＨＤＤ２が緩衝体７０に密着した状態で保持されるようになっている。
なお、蓋体４０の後面には、図２に示すように、位置決め用のピン４７が突設されている。このピン４７は、緩衝体７０のフランジ部７５の対向する部分に設けられた止め穴７７に挿通される。
【００３２】
外蓋５０は、軽量で強度を有する材料、例えばアルミニウム合金等の材料からなり、図２に示すように、蓋体４０の前面に被せられ、その縁部５１をかしめることによって蓋体４０に固定される。外蓋５０には、蓋体４０の突部４２に対応する位置に、突部４２を露出可能とする露出孔５２が形成されている。したがって、ＨＤＤ２のデータの記録再生動作に応じてアクセスランプが点灯すると、露出孔５２から露出した突部４２から光が目視可能に出力される。
【００３３】
接続ケーブル２０は、前記のように衝撃力を吸収する緩衝部材から構成されて配線２３を内包し、一端部（自由端）に、ＵＳＢインターフェースのプラグ部（凸部）２１を有するとともに、他端部に、プラグ部２１を挿入保持させる挿入部（凹部）２２とを有しており、プラグ部２１と挿入部２２とでオスメス嵌合可能となっている。なお、図２に示すように接続ケーブル２０の一端部および他端部には、把持用のリブ２６ｃ，２６ｄが形成されている。
本実施形態では、接続ケーブル２０が、軟質樹脂製の表層部材２６の内部の所定箇所に硬質樹脂製の芯材２４をインサート成形してなる。硬質樹脂製の芯材２４としては、例えば、ＡＢＳ＋ＰＣ樹脂を採用することができる。また、軟質樹脂製の表層部材２６としては、例えば、架橋させた後で射出成形が可能な、サーモプラスティックラバー（ＴＰＲ）等を採用することができる。ＴＰＲは硬化後に加熱しても変形し難く、耐衝撃性、保形性に優れており、筐体１０に巻き付けて使用される可撓可能な接続ケーブル２０として好適である。なお、その他の材料としては、ポリ塩化ビニル（ＰＶＣ）を採用することができる。
【００３４】
接続ケーブル２０にインサート成形される芯材２４は、図２に示すように、筐体１０の周壁３０ａの上面と左側面との直線状部３２に対応する位置に配置されている。つまり、図３（ａ）、図４（ａ）に示すように、筐体１０に接続ケーブル２０が巻き付けられた状態で、一方の芯材２４は、筐体１０の周壁３０ａの上面の直線状部３２に位置し、他方の芯材２４は、筐体１０の周壁３０ａの左側面の直線状部３２に位置する。これによって、筐体１０の周壁３０ａの直線状部３２，３２に対して、芯材２４により接続ケーブル２０がフィットし、筐体１０に対する接続ケーブル２０の保持性が高まる。
なお、図３（ｂ）に示すように、接続ケーブル２０は、その最小幅寸法Ｌ１が筐体１０の最大厚さ寸法Ｌ２よりも大きく設定されている。これによって、接続ケーブル２０は、筐体１０に巻き付けられた状態で、筐体１０の前面側および後面側へそれぞれ突出して、筐体１０を好適に保護するようになっている。
【００３５】
ここで、周壁３０ａの左側面の直線状部３２に位置する芯材２４には、挿通固定部２５が一体に成形されている。つまり、収容部３０の溝部３１ａ（図４（ａ）参照）に挿通される配線２３は、芯材２４と一体に成形された挿通固定部２５によって囲繞されて保護されており、これによって、断線の防止が図られている。
【００３６】
このような接続ケーブル２０を成形する際には、図示しない治具を用いて配線２３および芯材２４を図示しない金型のキャビティ内に保持しておいて、キャビティ内に表層部材２６を構成するＴＰＲ等の軟質樹脂を充填する。これによって、配線２３および芯材２４が表層部材２６に覆われてインサート成形された接続ケーブル２０が得られる。
このようにして成形される接続ケーブル２０には、筐体１０の周壁３０ａの角部３３に対応する位置に、当該角部３３を収容する凹部２７が設けられる。この凹部２７は、図６（ａ）に示すように、一端部のプラグ部２１を他端部の挿入部２２の挿入穴２２ａに挿入して、接続ケーブル２０を筐体１０に巻き付けるときと同じ状態にすると、内側の四隅に配置されるようになっており（図６（ｂ）参照）、図４（ａ）に示すようにして、筐体１０の周壁３０ａの角部３３をそれぞれ収容するようになっている。
本実施形態では、凹部２７に角部３３が収容された状態で、凹部２７の底部２７ａと角部３３の周壁３０ａとの間に、隙間が形成されるように凹部２７の深さ寸法を設定してある。これにより、凹部２７に角部３３が収容された状態で、凹部２７の底部２７ａに角部３３の周壁３０ａが当接せず、凹部２７内の空間が、衝撃を和らげる空気ダンパーとして機能するようになっている。
また、他端部の挿入部２２に形成された挿入穴２２ａは、挿入されたプラグ部２１の挿入状態が好適に維持されるように、プラグ部２１がきつく嵌まり込む内部寸法となるように設定されている。
【００３７】
なお、図６（ａ）に示すように、ストラップリング６０が装着される部分に対応して、ストラップリング６０を挿通するための貫通孔としてのスリット部２８が設けられている。このスリット部２８は、隅部の凹部２７に連通しており、これによって、ストラップリング６０の支軸６１が筐体１０側に支持可能となっている。
【００３８】
ストラップリング６０は、図７（ａ）に示すように、下部側６０ｂが丸い形状とされ、上部側６０ａが上方へ向かうにつれて窄まる形状とされた、正面視で略しずく形を呈しており、上端部に支軸６１が突設され、中央部に図示しないストラップの保持孔６２が形成されている。保持孔６２の孔縁には、補強用の円弧状のリブ６３が突設されている。
【００３９】
このようなストラップリング６０は、例えば次に説明するような二つの手法によって接続ケーブル２０に挿通される。その一つの手法は、図７（ｂ）に示すように、ストラップリング６０の上部側６０ａの支軸６１を、その長手方向が接続ケーブル２０のスリット部２８の長手方向に合うように配置して、当該支軸６１をスリット部２８に挿通することにより行うものである。
【００４０】
この手法では、支軸６１をスリット部２８に挿通した後に、図７（ｃ）に示すように、ストラップリング６０を図中回転矢印方向に９０度回動させて、スリット部２８の短手方向にストラップリング６０の支軸６１（６１ａ，６１ｂ）が位置するように配置する。これによって、支軸６１ａ，６１ｂのそれぞれが、凹部２７の短手方向に配置され、接続ケーブル２０からの脱落が防止された状態でストラップリング６０が保持される。
そして、この状態で、ストラップリング６０の一方の支軸６１ｂを、図２に示すように、収容部３０の周壁３０ａの係止部３５に係止するとともに、他方の支軸６１ａを緩衝体７０の挿通孔７１ａに挿通しつつ、蓋体４０の係止孔４３に係止することで、筐体１０へストラップリング６０を係止することができる。この場合、ストラップリング６０を介して、接続ケーブル２０も筐体１０の角部３３に固定されることとなる。
【００４１】
他方の手法は、筐体１０の組立時に先に筐体１０の角部３３にストラップリング６０を係止しておいてから、接続ケーブル２０のスリット部２８にストラップリング６０を挿通させるものである。
具体的に、ストラップリング６０の一方の支軸６１ｂを、図２に示すように、収容部３０の周壁３０ａの係止部３５に係止するとともに、他方の支軸６１ａを緩衝体７０の貫通孔７２に挿通しつつ、蓋体４０の係止孔４３に係止することで、筐体１０へ予めストラップリング６０を係止する。
その後、接続ケーブル２０のスリット部２８をストラップリング６０にあてがい、そのまま、接続ケーブル２０のスリット部２８にストラップリング６０をその弾性を利用して押し込むように挿通させる。これによって、接続ケーブル２０がストラップリング６０に保持されて、ストラップリング６０の配置される角部３３に対して接続ケーブル２０が固定される。
【００４２】
次に、以上説明した記憶装置１の組立手順を説明する（各図参照）。なお、以下に説明する例では、筐体１０にストラップリング６０を予め係止しておく前記他方の手法を用いて組み立てる例について説明する。
はじめに、収容部３０の溝部３１ａ（図４（ａ）参照）に接続ケーブル２０の挿通固定部２５を差し込み、この挿通固定部２５を介して、収容部３０に接続ケーブル２０を固定する。ここで、挿通固定部２５は、図６（ｂ）に示すように、挿入側端部２５ａが円弧状となっているので、溝部３１ａへの挿入が行い易い。また、これとは反対側となる非挿入側端部２５ｂが直線状に形成されているので、収容部３０に対する組み付け方向を誤ることがない。
【００４３】
その後、緩衝体７０を収容部３０の収容スペースに収容する。収容にあたって、接続ケーブル２０のコネクタＣを貫通孔７２に挿通する。貫通孔７２には、接続ケーブル２０のコネクタＣを挿通可能とするための切り込み７２ａが形成されているので、貫通孔７２よりも寸法の大きいコネクタＣを無理なく挿通することができる。
【００４４】
その後、ＨＤＤ２を緩衝体７０に装着し、接続ケーブル２０のコネクタＣをＨＤＤ２の図示しないコネクタピンに装着する。
次に、ストラップリング６０を前記した他方の手法を用いて係止する。係止手法は、前記と同様であるので、ここでは説明を省略する。
【００４５】
そして、図示しない固定用ねじを用いて蓋体４０を収容部３０に固定し、固定された蓋体４０の上に外蓋５０を被せ、図示しないかしめ装置を用いて、外蓋５０を蓋体４０にかしめ固定する。
【００４６】
その後、筐体１０に固定したストラップリング６０に接続ケーブル２０のスリット部２８をあてがい、その弾性を利用して、ストラップリング６０をスリット部２８に挿通する。これによって、ストラップリング６０を介して接続ケーブル２０が筐体１０に固定される。つまり、接続ケーブル２０は、前記した挿通固定部２５と、このストラップリング６０によるものとの二箇所で筐体１０に固定されることとなる。
【００４７】
次に、このようにして、筐体１０に固定された接続ケーブル２０を筐体１０の周壁３０ａに巻き付ける。そして、接続ケーブル２０の一端部のプラグ部２１を他端部の挿入部２２の挿入穴２２ａに挿入して、プラグ部２１を挿入部２２に固定する。これによって、筐体１０の周壁３０ａに接続ケーブル２０が巻き付けられて保持される（図１（ａ）参照）。
【００４８】
なお、使用時には、図１（ｂ）に示すように、接続ケーブル２０のプラグ部２１を挿入部２２の挿入穴２２ａから引き抜いて、接続ケーブル２０の巻き付けを解く。これによって、プラグ部２１を図示しないパーソナルコンピュータ等の機器に接続してデータの送受信を行うことができる。
【００４９】
以上説明した本実施形態の記憶装置１によれば、接続ケーブル２０が衝撃力を吸収する緩衝部材（主として表層部材２６）から構成されており、機器との非接続時に、筐体１０の周壁３０ａに巻き付けられて保持されるので、携帯時には、接続ケーブル２０を筐体１０の周壁３０ａに巻き付けてこれを緩衝材として機能させることができる。これによって、携帯時に誤って記憶装置１を落下させてしまっても、接続ケーブル２０が衝撃を好適に吸収し、落下時の衝撃からＨＤＤ２が良好に保護される。したがって、ＨＤＤ２の損傷を好適に防止することができる。
【００５０】
また、機器との接続時には、筐体１０の周壁３０ａに巻き付けられた接続ケーブル２０の巻き付けを解き、これを用いてＨＤＤ２を機器へ電気的に接続することができる。したがって、記憶装置１と接続ケーブル２０とを一体にして携帯できるので、別途接続ケーブルを記憶装置１とともに携帯する必要がなく、携帯性に優れて利便性がよい。しかも、筐体１０の周壁３０ａから接続ケーブル２０を解き、これを機器へ接続することでＨＤＤ２を機器に対して電気的に接続することができるので、機器とＨＤＤ２とのデータの送受信を少ない操作で手軽に行うことができる。
【００５１】
また、記憶装置１は、筐体１０が、周壁３０ａに直線状部３２を備えており、芯材２４は、直線状部３２に対応する位置に配置されているので、筐体１０の直線状部３２に対して、接続ケーブル２０がフィットし、筐体１０に対する接続ケーブル２０の保持性が高まる。また、外観も良好になる。
【００５２】
さらに、接続ケーブル２０には、筐体１０の角部３３に対応する位置に、当該角部３３を収容する凹部２７が形成されているので、筐体１０の角部３３が接続ケーブル２０の凹部２７に収容され、筐体１０に対する接続ケーブル２０の収まりがよくなって、ずれ難く、筐体１０に接続ケーブル２０が好適に保持される。しかも、落下時に衝撃を受けやすい角部３３が凹部２７に収容されることで、角部３３が接続ケーブル２０で確実に覆われることとなるので、耐衝撃性を高めることができる。
【００５３】
また、記憶装置１は、接続ケーブル２０の一端部にあるプラグ部２１を、他端部の挿入部２２の挿入穴２２ａに挿入保持することで、接続ケーブル２０が筐体１０の周壁３０ａに巻き付けられた状態で保持されることとなり、非使用時における接続ケーブル２０の巻き付け保持を簡単に行うことができる。また、プラグ部２１は、挿入部２２で覆われて保護されるので、仮に携帯時に記憶装置１を落下させてしまっても、プラグ部２１に対する衝撃が緩和されるようになり、プラグ部２１が破損するのを好適に防止することができる。
一方、使用時には、プラグ部２１を挿入部２２から引き抜くことで、筐体１０に対する接続ケーブル２０の巻付保持を解くことができ、また、これと同時に、プラグ部２１は、機器に対する接続が可能な状態にされる。したがって、巻き付けを解いてから機器への接続を行うまでの取扱いが簡単であるという利点が得られる。
【００５４】
また、筐体１０の周壁３０ａに突設されたストラップリング６０を接続ケーブル２０のスリット部２８に嵌挿することで、接続ケーブル２０を筐体１０に簡単に固定することができ、筐体１０への接続ケーブル２０の固定を簡単に行うことができる。
また、ストラップリング６０を接続ケーブル２０の固定に利用することができるので、構成が簡単になる。なお、別途、筐体１０の周壁３０ａに突部を設けて、この突部に接続ケーブル２０を固定するようにしてもよい。
【００５５】
また、接続ケーブル２０は、挿通固定部２５を筐体１０の透孔３１に挿通固定することによって筐体１０の内部から外部への配線２３の引き出し、および筐体１０への接続ケーブル２０の固定を簡単に行うことができる。また、挿通固定部２５が芯材２４に一体成形されるように構成することによって、挿通固定部２５の剛性を高めることができ、筐体１０に対する接続ケーブル２０の固定強度を高めることができる。
【００５６】
以上、本発明に係る実施形態について説明したが、本発明はこれらに限定されず、発明の主旨に応じた適宜の変更実施が可能であることはいうまでもない。例えば、筐体１０の形状は、周壁３０ａに円弧部を含む構成として、この周壁３０ａに接続ケーブル２０が巻き付けられる構成としてもよい。また、本実施形態では、記憶装置本体としてＨＤＤ２を用いたが、これに限定されるものではなく、記憶媒体を用いてこれにデータを書き込み可能なドライブ装置本体を記憶装置本体として用いてもよい。
【００５７】
また、筺体１０の透孔３１に、ＨＤＤ２側へ接続されるコネクタピン部を配置し、前記接続ケーブル２０の挿通固定部２５に、このコネクタピン部へ接続されるコネクタ部を設けて、ＨＤＤ２と接続ケーブル２０との電気的接続が行われるようにしてもよい。
【図面の簡単な説明】
【００５８】
【図１】本発明の一実施の形態に係る記憶装置を示す図であり、（ａ）は非使用時（携帯時）の外観を示す斜視図、（ｂ）は使用時にプラグを外したときの外観を示す斜視図である。
【図２】同じく記憶装置の分解斜視図である。
【図３】（ａ）は同じく記憶装置の正面図、（ｂ）は同じく記憶装置の側面図である。
【図４】（ａ）は図３（ｂ）のＡ−Ａ線断面図、（ｂ）は図３（ａ）のＢ−Ｂ線断面図である。
【図５】部分拡大断面図である。
【図６】接続ケーブルを示す図であり、（ａ）は一端部のプラグ部を他端部の挿入部に挿入した状態を示す縦断面図、（ｂ）は図６（ａ）の縦断面図、（ｃ）は展開した状態を示す断面図である。
【図７】（ａ）〜（ｃ）はストラップリングの止め付けを示す説明図である。
【符号の説明】
【００５９】
１      記憶装置
２      ハードディスクドライブ（ＨＤＤ）
１０    筐体
２０    接続ケーブル
２１    プラグ部
２２    挿入部
２２ａ  挿入穴
２３    配線
２４    芯材
２５    挿通固定部
２５ａ  挿入側端部
２５ｂ  非挿入側端部
２６    表層部材
２６ｃ  リブ
２７    凹部
２８    スリット部（貫通孔）
３０    収容部
３０ａ  周壁
３０ｂ  段部
３１    透孔
３１ａ  溝部
３２    直線状部
３３    角部
４０    蓋体
５０    外蓋
６０    ストラップリング（突部）
６１    支軸
７０    緩衝体
Ｃ      コネクタ
【図１】
2008130203.tif 000003
【図２】
2008130203.tif 000004
【図３】
2008130203.tif 000005
【図４】
2008130203.tif 000006
【図５】
2008130203.tif 000007
【図６】
2008130203.tif 000008
【図７】
2008130203.tif 000009